(57)【特許請求の範囲】
【請求項１】
袴部（２）とキャビネット部（１）を有する排水機器の配管構造であって、
下水等からの異臭や害虫類などの逆流を防止する排水トラップ（３）と、
槽体の底面に設けた排水口から排水トラップ（３）までを接続するパイプ管と、
床面上に設置された高さ１０センチ前後の立ち上がりの部分から成る袴部（２）と、
排水機器のキャビネット部（１）と袴部（２）との境界部に、開口部（５）を備えた化粧板（４）を設けると共に、
排水トラップ（３）に構成された排水トラップ（３）を化粧板（４）の開口部（５）周縁に取り付けるための取付部を構成し、
更には該排水トラップ（３）を、袴部（２）内に配置したことを特徴とする配管構造。
【請求項２】
請求項１に記載の排水トラップ（３）において、取付部を、化粧板（４）の開口部（５）を覆い隠す目隠板（６）にて構成したことを特徴とする排水トラップ。
【請求項３】
請求項１又は請求項２に記載の排水トラップ（３）において、取付部を排水トラップ（３）に着脱自在としたことを特徴とする排水トラップ（３）。
【請求項４】
請求項３に記載の排水トラップ（３）において、上面に排水が流入する配管との接続を行う流入口（７）を設けると共に、該流入口（７）に取付部との着脱機構を設けたことを特徴とする排水トラップ（３）。
【請求項５】
請求項４に記載の排水トラップ（３）において、目隠板（６）に、配管作業を行う際に手などを差し入れる為の作業窓（８）を設けると共に、この作業窓（８）を閉塞する蓋部材（９）を設けたことを特徴とする排水トラップ（３）。
【請求項６】
引き出し部（１０）を備えたキャビネット部（１）を有する排水機器の配管構造であって、後壁（１０ａ）に凹部（１１）を設けた引き出し部（１０）を備えると共に、下水等からの異臭や害虫類などの逆流を防止する排水トラップ（３）を、キャビネット部（１）内の床面上、もしくは排水を下水等の側に排出するための立ち上がり管（Ｄ）上であって、引き出し部（１０）がキャビネット部（１）内に収納された際に、引き出し部（１０）の凹部（１１）内に収まる位置に配置したことを特徴とする排水機器の配管構造。
【請求項７】
請求項６に記載の配管構造に用いる排水トラップ（３）において、上面に排水が流入する配管との接続を行う流入口（７）を設け、下面に排水を排出する配管との接続を行う排出口（１２）を設け、流入口（７）と排出口（１２）が偏芯して設けられており、且つそれぞれが接続する配管と回動自在に接続させることを特徴とする排水トラップ（３）。
【請求項８】
請求項１又は請求項６に記載の配管構造に用いられる排水トラップ（３）、又は請求項２乃至請求項６のいずれか一つに記載の排水トラップ（３）において、排水トラップ（３）の排出口（１２）を排水トラップの側面に設けると共に、該排出口（１２）に接続される配管用の管体が、排出口（１２）に対して長さ調節自在に接続されることを特徴とする排水トラップ（３）。
【請求項９】
請求項８に記載の排水トラップ（３）において、排出口（１２）に上方に向かって開口したＬ字状の押さえ板（１３）を設け、またこの排出口（１２）に接続される配管に断面三角形状の三角パッキン（Ｏ）を備え、また接続時この三角パッキン（Ｏ）を押さえ板（１３）の間に楔着する為の楔部材（１４）を備えた排水トラップ（３）。
【発明の詳細な説明】
【０００１】
【発明の属する技術分野】
本発明は、洗面台や流し台などの、キャビネット部を備えた排水機器に用いられる配管構造と、それらに用いられる排水トラップに関するものである。
【０００２】
【従来の技術】
従来より、洗面台、流し台などの排水機器には、下水等から異臭や害虫類などの逆流を防止する為の機能を付加した、排水トラップと呼ばれる排水装置が接続・配管されている。このような排水トラップを用いた配管構造の例として、図１２に、洗面台に施工した排水トラップの配管構造を示す。
図１２に示した配管構造は、以下に記載した排水機器としての洗面台、排水トラップ、立ち上がり管、及びこれらを接続するための管体部材等の各部材から構成される。
洗面台は、底面に排水口を備えた洗面ボウルと、該洗面ボウルの下方に配置されたキャビネット部、および該キャビネット部の下方に設けられた、袴部と呼ばれる床面上に設置された高さ１０センチ前後の立ち上がりの部分からなり、また該袴部とキャビネット部の間に、配管用の開口部を備えた、キャビネット部の底板となる化粧板が設けられている。
排水トラップは断面円筒の管を略Ｓ字形状に形成したものであって、その途中に、封水部と呼ばれる排水が溜まる部分を形成してなり、この封水部に溜まった排水によって、下水からの異臭や害虫類が屋内側に逆流することを防止している。立ち上がり管は、床面を介して、下水側につながる床下配管部分に接続されてなる。
またその他の部材として、洗面ボウルの底面に設けた排出口に接続される排水栓と、該排水栓と排水トラップ、また該排水トラップと立ち上がり管とを接続する直線状のパイプ管や曲がり部分を設けたエルボ管、固定用のナット部材などからなる管体部材等と、また化粧板の開口部を覆い隠す為の挿孔を設けた目隠板を備える。
【０００３】
上記のような各部材を用いた排水機器を施工する場合、まず、床面に設けられた立ち上がり管の上方に、排水栓を排水口に取着した洗面台を載置する。その後、洗面台のキャビネット内にて、排水栓と排水トラップをパイプ管やエルボ管などの管体部材を介して接続し、更に排水トラップの排出口をパイプ管を介して立ち上がり管に接続して排水機器の配管施工が完了する。
【０００４】
【発明が解決しようとする課題】
ところで、上記のような従来例に於いては、キャビネット部内に排水トラップを始めとする各種の部材が配管されているが、例えば洗面台のキャビネット部内であれば未使用のタオルや石鹸／洗剤などを収納し、又流し台のキャビネット部内などでは油や調味料などを収納するなど、キャビネット部の内部は収納スペースとしても活用されているため、キャビネット部内において、上記のような配管部材が占める空間が大きいと収納効率が落ち、洗面台や流し台などの利用者にとって使い勝手が悪いものとなる。特に最近では、キャビネット部（及び袴部）に引き出し部を設けた排水機器が利用されるように成っているものがあるが、このような場合、配管を引き出し部に干渉しないように構成しなければ成らない。図１３及び図１４は、上記のようなキャビネット部に引き出し部を備えた洗面台とその断面図であるが、配管が引き出し部に干渉しないようにするため、図１４の点線で囲った空間を配管用、特にもっとも大きな体積をとる排水トラップを含む配管用の空間として空けておかなければならず、その分引き出し部の収納能力が損なわれていた。このため、なるべくキャビネット部内において、排水トラップなど配管に用いられる各部材が占める空間の割合を減少させることが、洗面台や流し台などキャビネット部を備えた排水機器の配管施工に求められる課題となっていた。
本発明は上記課題に鑑み発明されたものであって、キャビネットを備えた排水機器に用いられる配管構造及びその配管構造に用いられる排水トラップについて、そのキャビネット内における空間占有率を減少させることを目的として発明されたものである。
【０００５】
【課題を解決するための手段】
請求項１に記載の排水機器の配管構造は、 袴部（２）とキャビネット部（１）を有する排水機器の配管構造であって、下水等からの異臭や害虫類などの逆流を防止する排水トラップ（３）と、槽体の底面に設けた排水口から排水トラップ（３）までを接続するパイプ管と、床面上に設置された高さ１０センチ前後の立ち上がりの部分から成る袴部（２）と、排水機器のキャビネット部（１）と袴部（２）との境界部に、開口部（５）を備えた化粧板（４）を設けると共に、排水トラップ（３）に構成された排水トラップ（３）を化粧板（４）の開口部（５）周縁に取り付けるための取付部を構成し、更には該排水トラップ（３）を、袴部（２）内に配置したことを特徴とする配管構造である。
【０００６】
請求項２に記載の排水トラップは、前記段落０００５に記載の排水トラップ（３）において、取付部を、化粧板（４）の開口部（５）を覆い隠す目隠板（６）にて構成したことを特徴とする排水トラップである。
【０００７】
請求項３に記載の排水トラップは、前記段落０００５又は段落０００６に記載の排水トラップ（３）において、取付部を排水トラップ（３）に着脱自在としたことを特徴とする排水トラップ（３）である。
【０００８】
請求項４に記載の排水トラップは、前記段落０００７に記載の排水トラップ（３）において、上面に排水が流入する配管との接続を行う流入口（７）を設けると共に、該流入口（７）に取付部との着脱機構を設けたことを特徴とする排水トラップ（３）である。
【０００９】
請求項５に記載の排水トラップは、前記段落０００８に記載の排水トラップ（３）において、目隠板（６）に、配管作業を行う際に手などを差し入れる為の作業窓（８）を設けると共に、この作業窓（８）を閉塞する蓋部材（９）を設けたことを特徴とする排水トラップ（３）である。
【００１０】
請求項６に記載の排水機器の配管構造は、引き出し部（１０）を備えたキャビネット部（１）を有する排水機器の配管構造であって、後壁（１０ａ）に凹部（１１）を設けた引き出し部（１０）を備えると共に、下水等からの異臭や害虫類などの逆流を防止する排水トラップ（３）を、キャビネット部（１）内の床面上、もしくは排水を下水等の側に排出するための立ち上がり管（Ｄ）上であって、引き出し部（１０）がキャビネット部（１）内に収納された際に、引き出し部（１０）の凹部（１１）内に収まる位置に配置したことを特徴とする排水機器の配管構造である。
【００１１】
請求項７に記載の排水トラップは、 前記段落００１０に記載の配管構造に用いる排水トラップ（３）において、上面に排水が流入する配管との接続を行う流入口（７）を設け、下面に排水を排出する配管との接続を行う排出口（１２）を設け、流入口（７）と排出口（１２）が偏芯して設けられており、且つそれぞれが接続する配管と回動自在に接続させることを特徴とする排水トラップ（３）である。
【００１２】
請求項８に記載の排水トラップは、 段落０００５又は段落００１０に記載の配管構造に用いられる排水トラップ（３）、又は請求項２乃至請求項６のいずれか一つに記載の排水トラップ（３）において、排水トラップ（３）の排出口（１２）を排水トラップの側面に設けると共に、該排出口（１２）に接続される配管用の管体が、排出口（１２）に対して長さ調節自在に接続されることを特徴とする排水トラップ（３）である。
【００１３】
請求項９に記載の排水トラップ（３）において、排出口（１２）に上方に向かって開口したＬ字状の押さえ板（１３）を設け、またこの排出口（１２）に接続される配管に断面三角形状の三角パッキン（Ｏ）を備え、また接続時この三角パッキン（Ｏ）を押さえ板（１３）の間に楔着する為の楔部材（１４）を備えた排水トラップ（３）である。
【００１５】
【発明の実施の形態】
以下に本発明の実施例を、図面を参照しつつ説明する。
図１及び図２に示した本発明の第一実施例は、洗面台（Ｓ）、排水トラップ（３）、及びこれらを接続するための管体部材（Ｐ）等の各部材から構成される。
洗面台（Ｓ）は、底面に排水口を備えた洗面ボウルと、該洗面ボウルの下方に配置されたキャビネット部（１）、および該キャビネット部（１）の下方に設けられた、袴部（２）と呼ばれる床面上に設置された高さ１０センチ前後の立ち上がりの部分からなり、また該袴部（２）とキャビネット部（１）の間に、キャビネット部（１）の底板となる化粧板（４）が設けられている。またこの化粧板（４）には、配管用に、排水トラップ（３）の上面より大きく、後述する目隠板（６）より小さい開口部（５）が設けられている。
排水トラップ（３）は、図３に示したような箱形形状の部材であって、その上面に、内部に排水を流入させるための流入口（７）を設け、また側面に排水を排出するための排出口（１２）を備えてなり、更にその内部に流入口（７）から下方に延出した封水筒（１５）と、封水筒（１５）から排出口（１２）の間に設けられた封水壁（１６）を備える。また流入口（７）は外周部に雄螺子を設け、また排出口（１２）は側面視上方に向かって開口したＬ字状の押さえ板（１３）を設けて成る。またこの排水口（１２）に接続されるエルボ管（Ｌ）には、円形にして断面三角形状の三角パッキン（Ｏ）を、ソケット（１７）に収納した状態で配置しており、更にこの三角パッキン（Ｏ）を押さえる為の側面視略Ｌ字状の楔部材（１４）を備えて成る。また排水トラップ（３）の流入口（７）に取り付けられる、挿孔を設けた目隠板（６）及び該目隠板（６）の挿孔を介して流入口（７）の雄螺子と螺合するする板ナット（Ｎ）を備えてなる。
また、立ち上がり管（Ｄ）は、床面を介して、下水等につながる床下配管部分に接続されてなる。またその他の部材として、洗面ボウルの底面に設けた排水口に接続される排水栓と、排水栓と排水トラップ（３）、排水トラップ（３）と立ち上がり管（Ｄ）とをそれぞれ接続するパイプ管及びエルボ管、固定用のナット部材等の管体部材（Ｐ）を備える。
【００１６】
上記の様な各配管部材を施工する方法としては、２通りの方法が存在する。
第一の方法は、まず立ち上がり管（Ｄ）と、排水トラップ（３）の排出口（１２）とを、エルボ管を介して接続する。この場合に、排出口（１２）とエルボ管を接続する手順として、エルボ管の端部に、その先端がエルボ管の端を向くようにして、三角パッキン（Ｏ）を配置する。次に排出口（１２）にエルボ管ごと三角パッキン（Ｏ）を当接させ、更に三角パッキン（Ｏ）の後端と押さえ板（１３）の間に楔部材（１４）を差し込むと、三角パッキン（Ｏ）の排出口（１２）に向かう押圧の力が、三角パッキン（Ｏ）の傾斜によってエルボ管を締め付ける向きの力にも作用し、エルボ管を排水トラップ（３）に水密的且つ前後に動作しないように固定することができる。この場合に、排水トラップ（３）の排出口（１２）からエルボ管の曲がり部分までの幅は、三角パッキン（Ｏ）の位置をずらし、その分余ったエルボ管の先端を切断して調整することで自在に変更できるから、結果として、エルボ管を排出口（１２）に対して長さ調節自在に接続することができる。
その後、排水トラップ（３）が化粧板（４）に設けた開口部（５）のほぼ直下に来るように方向及び位置を調節した上で、洗面台（Ｓ）を床面上に配置する。次いで目隠板（６）を、化粧板（４）の開口部（５）を介し、排水トラップ（３）に取り付ける。
この場合、まず排水トラップ（３）の流入口（７）に目隠板（６）の挿孔を挿通させ、次いで板ナット（Ｎ）を流入口（７）の外周の雄螺子に螺合させることで排水トラップ（３）と目隠板（６）との取り付け固定が完了する。またこの雄螺子は後に管体部材（Ｐ）と排水トラップ（３）との接続に利用することができる。
その後、目隠板（６）の周縁を化粧板（４）の開口部（５）の周縁に被さるようにして取り付け、更に洗面ボウルの排水栓から排水トラップ（３）の流入口（７）までをパイプ管やエルボ管、ナット部材等の管体部材（Ｐ）を用いて接続し、洗面台（Ｓ）の配管施工が完了する。
【００１７】
第二の方法は、先に立ち上がり管（Ｄ）のある床面上に洗面台（Ｓ）を配置し、次いで化粧板（４）の開口部（５）を介して立ち上がり管（Ｄ）とエルボ管、及びエルボ管と排水トラップ（３）の排出口（１２）の接続を行う。化粧板（４）の開口部（５）は、排水トラップ（３）の上面より大きい為、開口部（５）から袴部（２）内に手を入れることができるので、これらの配管作業を行うことができる。また立ち上がり管（Ｄ）に接続されたエルボ管と、排水トラップ（３）の排出口（１２）との接続は上記段落００１６と同じように楔部材（１４）を差し込むことで行うことができる。この楔部材（１４）による接続方法は、螺子の螺合による接続方法であれば水密性を保つためトルク管理が必要なところ、楔部材（１４）を差し込むだけで水密性を備えた接続が行えるので、上記のような、狭隘でトルク管理を行う為の冶具を持ち込めないようなところで作業を行うのに好適である。
次いで目隠板（６）を排水トラップ（３）に取り付け固定し、目隠板（６）の周縁を化粧板（４）の開口部（５）の周縁に被さるようにして取り付け、更に洗面ボウルの排水栓から排水トラップ（３）の流入口（７）までをパイプ管やエルボ管、ナット部材等の配管部材（Ｐ）を用いて接続し、洗面台（Ｓ）の配管施工が完了する。
【００１８】
次に本発明の第二実施例を、図面を参照しつつ説明する。
図４及び図５に示した本発明の第二実施例は、洗面台（Ｓ）、排水トラップ（３）、及びこれらを接続し、また下水等に排出するための配管に用いられる管体部材（Ｐ）等の各部材から構成される。
洗面台（Ｓ）は、底面に排水口を備えた洗面ボウルと、該洗面ボウルの下方に配置されたキャビネット部（１）、および該キャビネット部（１）の下方に設けられた、袴部（２）と呼ばれる床面上に設置された高さ１０センチ前後の立ち上がりの部分からなり、また該袴部（２）とキャビネット部（１）の間に、キャビネット部（１）の底板となる化粧板（４）が設けられている。またこの化粧板（４）には、配管用の排水トラップ（３）の本体部（３ａ）より大きく、後述する目隠板（６）より小さい開口部（５）が設けられている。
排水トラップ（３）は、図６に示したような箱形形状であって、その上面に、内部に排水を流入させるための流入口（７）を設け、また側面に排水を排出するための排出口（１２）を備えてなり、更にその内部に流入口（７）から下方に延出した封水筒（１５）と、封水筒（１５）から排出口（１２）の間に設けられた封水壁（１６）を備えたトラップ本体部（３ａ）と、該トラップ本体部（３ａ）の上方に、トラップ本体部（３ａ）と一体的に備えられた、作業窓（８）を設けた目隠板（６）とから成る。前記の作業窓（８）はトラップ本体部（３ａ）の排出口（１２）の上方に設けられており、またこの作業窓（８）を開閉する蓋部材（９）を備えて成る。
また、立ち上がり管（Ｄ）、管体部材などは段落００１５に記載した各部材と同様に構成してなる。
【００１９】
上記第二実施例の各配管部材は、以下のようにして施工される。
まず立ち上がり管（Ｄ）のある床面上に洗面台（Ｓ）を配置し、次いで排水トラップ（３）を、目隠板（６）の周縁を化粧板（４）の開口部（５）の周縁に被さるようにして取り付ける。更に立ち上がり管（Ｄ）と排水トラップ（３）の排出口（１２）を、エルボ管を介して接続する。この作業は目隠板（６）の作業窓（８）を介して行い、作業の完了後は蓋部材（９）にて作業窓（８）を閉塞する。次いで洗面ボウルの排水口に取着した排水栓から排水トラップ（３）の流入口（７）までをパイプ管やエルボ管、ナット部材等の管体部材（Ｐ）を用いて接続し、洗面台（Ｓ）の配管施工が完了する。
【００２０】
次に本発明の第三実施例を、図面を参照しつつ説明する。
図７乃至図９に示した本発明の第三実施例は、洗面台（Ｓ）、排水トラップ（３）、及びこれらを接続し、また下水等に排出するための配管に用いられる管体部材（Ｐ）等の各部材から構成される。
洗面台（Ｓ）は、底面に排水口を備えた洗面ボウルと、該洗面ボウルの下方に配置されたキャビネット部（１）からなり、該キャビネット部（１）内には、後壁（１０ａ）に凹部（１１）を設けた引き出し部（１０）が収納されてなる。
排水トラップ（３）は、図１０に示したように、上面に排水が流入する配管との接続を行う流入口（７）を、また下面に排水を排出する配管との接続を行う排出口（１２）を、それぞれ設けた円筒形状の部材であって、その内部には流入口（７）から下方に延出した封水筒（１５）と、封水筒（１５）から排出口（１２）の間に設けられた封水壁（１６）を備え、また流入口（７）と排出口（１２）が偏芯して設けられており、且つそれぞれの接続部分が螺合によって管体部材などと回転角度が自在に調節して接続できるように構成されてなる。
また、立ち上がり管（Ｄ）、管体部材などは段落００１５に記載した各部材と同様に構成してなる。
【００２１】
上記第三実施例の各配管部材は、以下のようにして施工される。
まず立ち上がり管（Ｄ）のある床面上に、洗面台（Ｓ）を配置し、次いで排水トラップ（３）を、排出口（１２）が立ち上がり管（Ｄ）の上方に直接接続されるようにして取り付ける。この際に排水トラップ（３）は、立ち上がり管（Ｄ）に対して回転角度が自在に調節して接続できるように構成されているから、排水トラップ（３）を、排出口（１２）を中心に回転させて、引き出し部（１０）の後壁（１０ａ）の凹部（１１）内に収納されるように位置を調節することができる。
次いで洗面ボウルの排水口に取着した排水栓から排水トラップ（３）の流入口（７）までをパイプ管やエルボ管、ナット部材等の管体部材（Ｐ）を用いて接続し、更にキャビネット部（１）に引き出し部（１０）を収納させて、洗面台（Ｓ）の配管施工が完了する。
上記のように、床面上、もしくは立ち上がり管（Ｄ）上に排水トラップ（３）を配置したことで、例えばキャビネット部（１）内に複数設けた引き出し部（１０）の内、もっとも下に配置されているものの上端が、排水トラップの上端よりも高い位置となるように設計すれば、もっとも下に配置されている引き出し部（１０）のみ排水トラップ（３）の配置用スペースを用意すれば良いため、従来の排水トラップを用いた配管構造に比べて、キャビネット部（１）内の収納に利用できる空間を広くとることができる。
【００２２】
本発明の実施例は上記のようであるが、本発明は上記実施例に限定されるものではなく、発明の要旨を変更しない範囲で自在に変更が可能である。
例えば、上記実施例では排水トラップ（３）を施工する排水機器を洗面台（Ｓ）としているが、流し台など袴部（２）分を有するキャビネット部（１）を備えた排水機器、もしくはキャビネット部（１）内に引き出し部（１０）を備えた排水機器であれば、どのような排水機器にも配管構造を適用することができる。
【００２３】
また上記実施例における排水トラップ（３）は、通常ランニングトラップと呼ばれる形状の排水トラップ（３）であるが本発明に用いられる排水トラップ（３）は、特にその形状に関して限定を行うものではなく、図１１に示したように略Ｓ字形状の排水トラップ（３）など、どのような方式の排水トラップ（３）に付いても適用することができる。
【発明の効果】
【００２４】
本発明は上記のように構成したため、以下のような優れた効果を奏する。
１）請求項１及び請求項６による配管構造に於いては、従来の排水機器のキャビネット内において最もスペースを占有していた排水トラップを、従来活用されていなかった洗面台の袴部分、もしくはキャビネット部内の床面上などに配置したため、その分キャビネット内の収納スペースを広くとることができ、利用者にとって極めて使い勝手の良い排水機器とすることができる。
２）請求項２又は請求項３に記載の排水トラップにおいては、排水トラップに取付部を設けたことで、排水トラップをキャビネット部内の化粧板に固定配置して、排水トラップを袴部内に収納することができ、キャビネット部内の収納効率を良くすることができる。
３）請求項４及び請求項５に記載の排水トラップにおいては、取付部を排水トラップに着脱自在としたため、排水トラップの袴部内での施工が終了してから、排水トラップを排水機器に取り付けることができるため、施工手順の選択肢を増やすことができる。これは、例えば排水機器の、設置業者と配管業者が異なる場合に、両者のスケジュール調整が容易になる（排水機器の設置が行われた後で有れば、いつでも配管施工を行うことができる）、と言う点で便利である。
４）請求項６に記載の排水トラップにおいては、排水トラップを化粧板に取り付けた後、作業窓より配管施工が可能としたため、排水機器の設置が行われた後であれば、いつでも配管施工を行うことができる。
５）請求項７に記載の排水トラップに於いては、流入口及び流出口を、立ち上がり管等の管体部材などに回転角度が自在に調節して接続できるように構成されてなるため、排水トラップを、引き出し部の凹部内に収納できる位置に調節させて配置できる。
６）請求項８に記載の排水トラップにおいては、排出口を排水トラップの側面に設けると共に、該排出口に、水平方向に長さ調節自在となるようにして配管部材を接続できるようにしたことで、立ち上がり管と化粧板の開口の位置にずれがあっても、この長さ調節部分によって補正を行う事ができる。
７）請求項９に記載の排水トラップにおいては、配管の接続作業を、トルク管理の必要なしに行うことができるため、狭隘でトルク管理のための治具が利用できないところであっても、水密性を保った配管施工を行うことができる。
【図面の簡単な説明】
【図１】  本発明の第一実施例を示す、袴部の一部を切り欠きした正面図である。
【図２】  本発明の第一実施例を示す、袴部と目隠板、及びキャビネット部の一部を切欠した斜視図である。
【図３】  本発明の第一実施例に採用された排水トラップを示す断面図である。
【図４】  本発明の第二実施例を示す、袴部の一部を切り欠きした正面図である。
【図５】  本発明の第二実施例を示す、袴部とキャビネット部の一部を切欠した斜視図である。
【図６】  本発明の第二実施例に採用された排水トラップを示す断面図である。
【図７】  本発明の第三実施例を示す正面図である。
【図８】  図７の実施例のＡ−Ａ’断面図である。
【図９】  本発明の第三実施例を示す引き出し部を省略した斜視図である。
【図１０】  本発明の第三実施例に採用された排水トラップを示す断面図である。
【図１１】  Ｓ字形状の排水トラップを用いた本発明を示す正面図である。
【図１２】  従来例による配管施工を行った、袴部を備えた排水機器を示す正面図である。
【図１３】  従来例による配管施工を行った、引き出し部を備えた排水機器を示す正面図である。
【図１４】  図１３の従来例のＢ−Ｂ’断面図である
【符号の説明】
１      キャビネット部
２      袴部
３      排水トラップ
３ａ    トラップ本体部
４      化粧板
５      開口部
６      目隠板
７      流入口
８      作業窓
９      蓋部材
１０    引き出し部
１０ａ  後壁
１１    凹部
１２    排出口
１３    押さえ板
１４    楔部材
１５    封水筒
１６    封水壁
１７    ソケット
Ｄ      立ち上がり管
Ｎ      板ナット
Ｏ      三角パッキン
Ｐ      管体部材
【図１】
0004617419.tif 000002
【図２】
0004617419.tif 000003
【図３】
0004617419.tif 000004
【図４】
0004617419.tif 000005
【図５】
0004617419.tif 000006
【図６】
0004617419.tif 000007
【図７】
0004617419.tif 000008
【図８】
0004617419.tif 000009
【図９】
0004617419.tif 000010
【図１０】
0004617419.tif 000011
【図１１】
0004617419.tif 000012
【図１２】
0004617419.tif 000013
【図１３】
0004617419.tif 000014
【図１４】
0004617419.tif 000015